(57)【要約】【課題】顔領域を含む特定領域におけるスルー画像を拡大表示する前後での顔検出の応答性悪化を防止する撮像装置を提供する。【解決手段】撮像装置は、画像データに基づく第１スルー画像を表示する表示部を備える。画像データに対応し、表示部に表示される領域の画像について、顔検出を行う顔検出部を備える。顔検出部によって、顔であると認識された顔領域を含む特定領域における第２スルー画像を、第１スルー画像の表示領域まで拡大して表示部に表示させる第１電子ズーム制御を行う電子ズーム部を備える。電子ズーム部は、第１電子ズーム制御の前に、特定領域を含み且つ特定領域よりも大きい中間領域における中間スルー画像を、第１スルー画像の表示領域まで拡大して表示部に表示させる第２電子ズーム制御を行う。【選択図】図７
2010045625.tif 000002
【特許請求の範囲】
【請求項１】
画像データに基づく第１スルー画像を表示する表示部と、
前記画像データに対応し、前記表示部に表示される領域の画像について、顔検出を行う顔検出部と、
前記顔検出部によって、顔であると認識された顔領域を含む特定領域における第２スルー画像を、前記第１スルー画像の表示領域まで拡大して前記表示部に表示させる第１電子ズーム制御を行う電子ズーム部とを備え、
前記電子ズーム部は、前記第１電子ズーム制御の前に、前記特定領域を含み且つ前記特定領域よりも大きい中間領域における中間スルー画像を、前記第１スルー画像の表示領域まで拡大して前記表示部に表示させる第２電子ズーム制御を行うことを特徴とする撮像装置。
【請求項２】
前記第２電子ズーム制御を行う回数は、前記顔検出結果に基づいて決定されることを特徴とする請求項１に記載の撮像装置。
【請求項３】
前記第２電子ズーム制御における１回の電子ズーム処理において拡大表示を行うズーム段数は、前記顔検出結果に基づいて決定されることを特徴とする請求項１に記載の撮像装置。
【請求項４】
前記顔検出結果は、前記顔検出で特定された顔の大きさや向きを含むことを特徴とする請求項２、３に記載の撮像装置。
【発明の詳細な説明】
【技術分野】
【０００１】
本発明は、撮像装置に関し、特に顔検出結果に基づいて、顔領域を含む特定領域を拡大してスルー画像表示を行う画面表示に関する。
【背景技術】
【０００２】
従来、特許文献１のように、画像上の顔領域を特定する顔検出が可能な撮像装置が提案されている。顔検出では、連続したフレームの画像であって、被写体の変化量が少ないものに基づいて、フレーム間の画像比較（特に顔候補部分の画像の比較）を行い、比較結果に基づいて、顔領域の特定（数、大きさ、位置などの特定）を行う。かかる顔検出により、顔領域が特定されると、顔領域を含む特定領域におけるスルー画像を拡大表示し、かかる拡大表示領域をポートレートなどに最適な構図として撮像して画像を得ることが可能になる。
【特許文献１】特開２００５−３４８１８１号公報
【発明の開示】
【発明が解決しようとする課題】
【０００３】
しかし、顔領域を含む特定領域におけるスルー画像を拡大表示する際に、拡大表示前の画像と被写体の変化量が大きいと、これらを使って顔検出における画像比較を行うことが出来ない。この場合、画像比較が出来なくなった時点で、顔領域の情報は一旦リセット（消去）され、新たな顔領域の特定を行う必要があった。このため、特定領域におけるスルー画像を拡大表示すると、拡大表示前後で、顔検出の応答性が悪化する問題があった。
【０００４】
したがって本発明の目的は、顔領域を含む特定領域におけるスルー画像を拡大表示する前後での顔検出の応答性悪化を防止する撮像装置を提供することである。
【課題を解決するための手段】
【０００５】
本発明に係る撮像装置は、画像データに基づく第１スルー画像を表示する表示部と、画像データに対応し、表示部に表示される領域の画像について、顔検出を行う顔検出部と、顔検出部によって、顔であると認識された顔領域を含む特定領域における第２スルー画像を、第１スルー画像の表示領域まで拡大して表示部に表示させる第１電子ズーム制御を行う電子ズーム部とを備え、電子ズーム部は、第１電子ズーム制御の前に、特定領域を含み且つ特定領域よりも大きい中間領域における中間スルー画像を、第１スルー画像の表示領域まで拡大して表示部に表示させる第２電子ズーム制御を行う。
【０００６】
第２電子ズーム制御で中間スルー画像を表示することにより、特定領域（フレーミング領域）における第２スルー画像の拡大表示前後でも顔領域の情報がリセットされず、継続的に顔領域が特定でき（追尾でき）、顔検出の応答性悪化を防止することが可能になる。
【０００７】
好ましくは、第２電子ズーム制御を行う回数は、顔検出結果に基づいて決定される。
【０００８】
第２電子ズーム制御を行う分だけ、第２電子ズーム制御を行わない形態に比べて、第１電子ズーム制御の完了、すなわち第２スルー画像の拡大表示が遅れる。但し、継続的に顔領域を特定する（追尾する）ことが出来る条件を満たす範囲内で、第２電子ズーム制御の回数を出来るだけ少なくすることは出来る。該条件の満たし易さは、顔検出結果に応じて変動する。例えば、検出された顔が大きく、正面を向いている場合などは、被写体の変化量が比較的大きくても、顔領域の追尾が可能なので、第２電子ズーム制御の回数を少なくすることが出来る。
【０００９】
また、好ましくは、第２電子ズーム制御における１回の電子ズーム処理において拡大表示を行うズーム段数は、顔検出結果に基づいて決定される。
【００１０】
さらに好ましくは、顔検出結果は、顔検出で特定された顔の大きさや向きを含む。
【発明の効果】
【００１１】
以上のように本発明によれば、顔領域を含む特定領域におけるスルー画像を拡大表示する前後での顔検出の応答性悪化を防止する撮像装置を提供することができる。
【発明を実施するための最良の形態】
【００１２】
以下、本実施形態について、図を用いて説明する。撮像装置１は、デジタルカメラである。撮像装置１の撮像に関する部分は、操作部１０、レリーズボタン１３、各部の制御を行う制御部３０、レンズ駆動部４５、露出制御部４７、レンズ５１、ＣＣＤなどの撮像素子５３、ＡＦＥ（アナログフロントエンド）５５、ＤＳＰ（映像信号処理回路）６０、顔検出部６３、電子ズーム部６５、記録部７０、及び表示部９０を備える（図１参照）。
【００１３】
被写体像は、レンズ５１を介した光学像として、撮像素子５３で撮像される。撮像により得られた画像データは、ＡＦＥ５５でアナログ信号からデジタル信号に変換され、ＤＳＰ６０で画像処理される。かかる動作が一定時間（１／３０秒）ごとに行われ、表示部９０に、画像データに基づいて第１スルー画像（または第２スルー画像）が表示される（ライブビュー表示、図２参照）。
【００１４】
操作部１０は、撮像装置１の撮影モードとして、ベストフレーミングモード（人物撮影で胸部から植えが画面に入るように構図するバストショットモード）と、それ以外の撮影モードとを切り替え設定するために使用される。撮像装置１におけるベストフレーミングモードに設定されている場合には、顔検出部６３によって、表示部９０に表示された第１スルー画像における人物の顔の大きさや位置等を特定する顔検出が行われる。顔検出の結果、顔が認識された場合には、顔であると認識された顔領域を示す第１枠Ｆ１、及び顔領域を含みポートレートとしてバランスのよいフレーミング領域（特定領域）を示す第２枠Ｆ２が第１スルー画像上に表示される。図２では、第１枠Ｆ１を点線で、第２枠Ｆ２を破線で示す。
【００１５】
顔検出部６３は、顔検出として、表示部９０に表示される領域の画像で、且つ連続して表示されるフレームの画像であって、被写体の変化量が少ないものに基づいて、フレーム間の画像比較（特に顔候補部分の画像の比較）を行い、比較結果に基づいて、顔領域の特定（数、大きさ、位置などの特定）を行う。顔領域の特定に必要なフレーム数は、顔の数、顔の大きさ（画面全体に対する顔の割合）、及び顔の向きなどによって異なり、例えば、正面を向き、比較的大きな顔が１つだけある画像の場合には、５フレーム程度の画像に基づいて顔領域の特定が可能であるが、顔の数が多いなど条件が変わると、総ての顔領域の特定に必要なフレーム数は多くなる。
【００１６】
隣接するフレーム間の画像における被写体の変化量が大きい場合には、顔検出に必要なフレーム間の画像比較が行えないため、顔領域の特定が出来ない。例えば、レリーズボタン１３の半押し時の第１スルー画像の領域と、フレーミング領域との大きさ（ズーム段数）が大きく異なる場合には、被写体の変化量が大きくこれらを使って顔検出における画像比較を行うことが出来ない。この場合、顔領域の情報は一旦リセット（消去）され、フレーミング領域における第２スルー画像の拡大表示後に新たに顔領域の特定を行う必要があるので、拡大表示前後で、顔検出の応答性が悪くなる。
【００１７】
レリーズボタン１３は、半押しすることにより測光スイッチ（不図示）がオン状態にされ測光やレンズ駆動部４５による測距及び測距結果に基づく合焦動作が行われる。測光は、撮像素子５３における撮像で得られた画像データに基づいて行われる。具体的には、ＤＳＰ６０は、画像処理において生成される輝度信号から測光領域における輝度値（被写体の明るさに関する情報）を求め、これを測光結果として、制御部３０に出力する。制御部３０は、輝度値に基づいて適正な露出（絞りやシャッタースピード）を算出する（露出演算）。また、レリーズボタン１３は、全押しすることによりレリーズスイッチ（不図示）がオン状態にされ、制御部で算出された露出で撮像が行われるように、露出制御部４７により絞りやシャッタースピードが制御された状態で、撮像が行われる。撮像により得られた画像データに対応する画像は、表示部９０に表示され、画像データは記録部７０に記録される。
【００１８】
撮像装置１がベストフレーミングモードに設定されている場合には、レリーズボタン１３の半押しされると、半押しされている間、半押しされた時点の顔検出結果に基づいて、電子ズーム部６５によって、自動的にフレーミング領域が切り出しされ、かかるフレーミング領域における第２スルー画像が第１スルー画像の表示領域まで拡大された状態で表示部９０に表示される（第１電子ズーム制御、図３参照）。
【００１９】
また、フレーミング領域における第２スルー画像を拡大した状態で、顔領域を示す第１枠Ｆ１が表示される（図３の点線参照）。制御部３０による露出演算、及び測距結果に基づく合焦動作は、顔領域の露出やピントが最適になるように行われる。なお、レリーズボタン１３が半押しされた時点以降も並行して顔検出は行われるので、フレーミング領域や顔領域は、被写体の動きに応じて変動し、フレーミング領域に対応し第２スルー画像として拡大表示される領域、及び顔領域に対応する第１枠Ｆ１の位置も変動する。
【００２０】
第１実施形態では、フレーミング領域における第２スルー画像の拡大表示（第１電子ズーム制御）の前に、電子ズーム部６５によって、第２電子ズーム制御が行われる。すなわち、レリーズボタン１３の半押し時の第１スルー画像を、電子ズームレベル（ズーム段数）を変えない状態で表示した後、第２電子ズーム制御として、フレーミング領域を含み且つフレーミング領域よりも広い中間領域における中間スルー画像を第１スルー画像の表示領域まで拡大表示し（図４参照）、その後に、第１電子ズーム制御として、フレーミング領域における第２スルー画像を拡大表示する。第２電子ズーム制御は、中間領域を徐々に狭めたものを使って１回以上行われる。すなわち、フレームごとに、スルー画像表示を行う領域を狭めるように、ズームアップさせながら、第２電子ズーム制御を行い（拡大倍率を上げて）、最終的に第１電子ズーム制御を行ってフレーミング領域だけをスルー画像表示の表示対象領域にする。
【００２１】
具体的には、ます、レリーズボタン１３の半押し時の第１スルー画像を表示する際の電子ズームレベル（ズーム段数）である第１ズーム段数Ｚｉｎｉｔｉａｌから、フレーム領域における第２スルー画像を拡大表示するときの電子ズームレベルである第２ズーム段数Ｚｔａｒｇｅｔとの差異（総ズーム段数）が算出される。
【００２２】
第１実施形態では、１回の電子ズーム処理において、１ズーム段数（電子ズーム処理によって拡大ズームを行う一定単位）だけ拡大表示が行われる。すなわち、１フレームごとに、１回電子ズーム処理が行われて、現在表示されているスルー画像の表示領域に対して１ズーム段数だけ小さい領域のスルー画像が拡大表示される。このため、第１実施形態では、フレーミング領域における第２スルー画像の拡大表示を行うまでの総電子ズーム処理回数と、総ズーム段数とは等しい値になる。総電子ズーム処理回数は、第２電子ズーム制御の回数（１回以上）と、第１電子ズーム制御の回数（１回）との和である。
【００２３】
第１スルー画像が第１ズーム段数Ｚｉｎｉｔｉａｌで表示された後、電子ズーム処理（ズームアップ）が行われ、現在表示されているスルー画像に対して１ズーム段数だけ小さくなった領域における中間スルー画像の拡大表示（第２電子ズーム制御）が繰り返され、最終的にフレーミング領域における第２スルー画像が第２ズーム段数Ｚｔａｒｇｅｔで拡大表示される（第１電子ズーム制御）。
【００２４】
例として、フレーム領域の拡大倍率が２倍（フレーム領域が第１スルー画像の表示領域の１／２、面積比で１／４）であって、総ズーム段数が１０段である場合を説明する。この場合は、第１スルー画像が第１ズーム段数Ｚｉｎｉｔｉａｌで表示された後（図２参照）、次のフレームでは、フレーミング領域を含み、且つ第１スルー画像の表示領域に対して１ズーム段数だけ小さい領域のスルー画像が第１中間スルー画像として拡大表示される（１回目の第２電子ズーム制御）。次のフレームでは、フレーミング領域を含み、且つ第１中間スルー画像の表示領域に対して１ズーム段数だけ小さい領域のスルー画像が第２中間スルー画像として拡大表示される（２回目の第２電子ズーム制御）。次のフレームでは、フレーミング領域を含み、且つ第２中間スルー画像の表示領域に対して１ズーム段数だけ小さい領域のスルー画像が第３中間スルー画像として拡大表示される（３回目の第２電子ズーム制御）。次のフレームでは、フレーミング領域を含み、且つ第３中間スルー画像の表示領域に対して１ズーム段数だけ小さい領域のスルー画像が第４中間スルー画像として拡大表示される（４回目の第２電子ズーム制御）。次のフレームでは、フレーミング領域を含み、且つ第４中間スルー画像の表示領域に対して１ズーム段数だけ小さい領域のスルー画像が第５中間スルー画像として拡大表示される（５回目の第２電子ズーム制御）。次のフレームでは、フレーミング領域を含み、且つ第５中間スルー画像の表示領域に対して１ズーム段数だけ小さい領域のスルー画像が第６中間スルー画像として拡大表示される（６回目の第２電子ズーム制御）。次のフレームでは、フレーミング領域を含み、且つ第６中間スルー画像の表示領域に対して１ズーム段数だけ小さい領域のスルー画像が第７中間スルー画像として拡大表示される（７回目の第２電子ズーム制御）。次のフレームでは、フレーミング領域を含み、且つ第７中間スルー画像の表示領域に対して１ズーム段数だけ小さい領域のスルー画像が第８中間スルー画像として拡大表示される（８回目の第２電子ズーム制御）。次のフレームでは、フレーミング領域を含み、且つ第８中間スルー画像の表示領域に対して１ズーム段数だけ小さい領域のスルー画像が第９中間スルー画像として拡大表示される（９回目の第２電子ズーム制御）。次のフレームでは、フレーミング領域における第２スルー画像（第９中間スルー画像の表示領域に対して１ズーム段数だけ小さい領域のスルー画像）が第２ズーム段数Ｚｔａｒｇｅｔで拡大表示される（第１電子ズーム制御）。
【００２５】
顔検出は、表示部９０に表示される画像領域に対して行われる。第１実施形態では、第１スルー画像の表示から、フレーミング領域における第２スルー画像の拡大表示（第１電子ズーム制御）が行われるまでの間に、中間領域における中間スルー画像の拡大表示（第２電子ズーム制御）が段階的に行われるため、隣接するフレームで表示部９０に表示される画像における被写体の変化量が小さい。このため、第２スルー画像を拡大表示した際に、拡大表示されるまでに特定した顔領域を使って、継続的に顔領域を特定する（追尾する）ことが出来る。
【００２６】
レリーズボタン１３が半押しされて、フレーミング領域における第２スルー画像が表示されている間に、さらにレリーズボタン１３が全押しされると、フレーミング領域に対応する画像データが記録部７０に記録される。記録部７０に記録される画像データには、顔検出結果として顔領域に関する情報も記録される。このため、記録部７０に記録された画像データに基づく画像を再生する、すなわち表示部９０に表示する場合に、顔領域だけを更に拡大表示することも可能になる（図５参照）。
【００２７】
一方、フレーミング領域における第２スルー画像の拡大表示（第１電子ズーム制御）の前に、中間スルー画像の段階的な拡大表示（第２電子ズーム制御）を行わない場合には、隣接するフレームで表示部９０に表示される画像における被写体の変化量が大きいと、顔検出における画像比較ができず、顔領域の情報がリセットされ、拡大表示が完了した後に、新たに顔領域の特定（顔検出における画像比較）を行う必要がある。この場合、フレーミング領域における第２スルー画像の拡大表示完了直後は、顔検出における画像比較を行うための複数フレームの画像が得られず、被写体の変化量が小さい画像が一定量得られるまでは、顔領域の特定が出来ず、顔検出の応答性が悪化する。また、顔領域が特定出来ないため、第２スルー画像における顔領域の露出やピントが最適になるような露出制御、及び合焦動作を行うことも出来ない。
【００２８】
従って、フレーミング領域における第２スルー画像の拡大表示完了後であって、顔領域が特定されるまでの間に、レリーズボタン１３が全押しされた場合には、顔検出結果（特に顔領域）に関する情報を持たない状態（または、拡大表示前の顔検出結果に関する情報を持った状態）で画像データの記録が行われる。拡大表示前の顔領域は、拡大表示後の顔領域とは異なるため、拡大表示前の顔検出結果に関する情報に基づいて、画像データに基づく画像における顔領域だけを更に拡大表示する制御を正しく行うことは出来ない。
【００２９】
これに対して、第１実施形態では、第２電子ズーム制御で中間スルー画像を表示することにより、フレーミング領域における第２スルー画像の拡大表示前後でも顔領域の情報がリセットされず、継続的に顔領域が特定される（追尾される）ため、かかる問題は生じない。
【００３０】
次に、第２実施形態について説明する。第１実施形態では、１回の電子ズーム処理（第１、第２電子ズーム制御）において、１ズーム段数だけ拡大表示が行われる。すなわち、１フレームごとに、１回電子ズーム処理が行われて、現在表示されているスルー画像の表示領域に対して１ズーム段数だけ小さい領域のスルー画像が拡大表示される。この場合、第１スルー画像の第１ズーム段数Ｚｉｎｉｔｉａｌでの表示からフレーミング領域における第２スルー画像の第２ズーム段数Ｚｔａｒｇｅｔでの拡大表示までの間に行われる総電子ズーム処理回数（＝総ズーム段数）分だけ、フレーミング領域における第２スルー画像の拡大表示が完了するまでに時間がかかる。例えば、上述の条件の場合、１０回の電子ズーム処理（９回の第２電子ズーム処理と１回の第１電子ズーム処理）を経て、フレーミング領域における第２スルー画像の拡大表示が完了する。
【００３１】
これに対して、第２実施形態では、１回の電子ズーム処理において拡大表示を行うズーム段数Δｚが調整される。これに伴い、第１スルー画像の表示と、フレーミング領域における第２スルー画像の拡大表示（第１電子ズーム制御）との間に行われる第２電子ズーム制御の回数を第１実施形態に比べて少なくすることが出来る。
【００３２】
第１スルー画像が第１ズーム段数Ｚｉｎｉｔｉａｌで表示された後、電子ズーム処理（ズームアップ）が行われ、現在表示されているスルー画像の表示領域に対して、ズーム段数Δｚだけ小さくなった領域における中間スルー画像の拡大表示（第２電子ズーム制御）が繰り返され、最終的にフレーミング領域における第２スルー画像が第２ズーム段数Ｚｔａｒｇｅｔで拡大表示される（第１電子ズーム制御）。ズーム段数Δｚが２以上であれば、総電子ズーム処理回数は、総ズーム段数よりも少なくなる。
【００３３】
具体的には、隣接するフレームで表示部９０に表示される画像における被写体の変化量が、継続的に顔領域を特定する（追尾する）ことが出来る程度であることを含む条件下で、総ズーム段数と、顔検出で特定された顔の大きさや向きなどに基づいてズーム段数Δｚ（≧１）が算出される。
【００３４】
例えば、顔検出で特定された顔が大きく正面を向いている場合には、少ないフレーム数で、フレーム間で被写体の変化量が多少大きくても、顔領域の特定（追尾）を行うことが出来るため、第２電子ズーム制御の回数を少なくしても上述の条件を満たし易い。従って、ズーム段数Δｚが大きく（例えばΔｚ＝４）に設定される。この場合は、１回目の第２電子ズーム制御で、フレーミング領域を含み、且つ第１スルー画像の表示領域に対して４ズーム段数だけ小さい領域のスルー画像が第１中間スルー画像として拡大表示され、２回目の第２電子ズーム制御で、フレーミング領域を含み、且つ第１中間スルー画像の表示領域に対して４ズーム段数だけ小さい領域のスルー画像が第２中間スルー画像として拡大表示され、その後第１電子ズーム制御で、フレーミング領域における第２スルー画像（第２中間スルー画像の表示領域に対して２ズーム段数だけ小さい領域のスルー画像）が第２ズーム段数Ｚｔａｒｇｅｔで拡大表示される。従って、３回の電子ズーム処理（２回の第２電子ズーム処理と１回の第１電子ズーム処理）で、言い換えると３フレーム目で、総ズーム段数＝１０のフレーミング領域における第２スルー画像の拡大表示が完了する。
【００３５】
また、顔検出で特定された顔が小さく横を向いている場合には、顔領域の特定（追尾）を行うために、フレーム間の被写体の変化量を小さく、すなわち多くのフレーム数が必要であるため、第２電子ズーム制御の回数を少なくすると上述の条件を満たしにくい。従って、ズーム段数Δｚが小さく（例えばΔｚ＝２）に設定される。この場合は、１回目の第２電子ズーム制御で、フレーミング領域を含み、且つ第１スルー画像の表示領域に対して２ズーム段数だけ小さい領域のスルー画像が第１中間スルー画像として拡大表示され、２回目の第２電子ズーム制御で、フレーミング領域を含み、且つ第１中間スルー画像の表示領域に対して２ズーム段数だけ小さい領域のスルー画像が第２中間スルー画像として拡大表示され、３回目の第２電子ズーム制御で、フレーミング領域を含み、且つ第２中間スルー画像の表示領域に対して２ズーム段数だけ小さい領域のスルー画像が第３中間スルー画像として拡大表示され、４回目の第２電子ズーム制御で、フレーミング領域を含み、且つ第３中間スルー画像の表示領域に対して２ズーム段数だけ小さい領域のスルー画像が第４中間スルー画像として拡大表示され、その後第１電子ズーム制御で、フレーミング領域における第２スルー画像（第４中間スルー画像の表示領域に対して２ズーム段数だけ小さい領域のスルー画像）が第２ズーム段数Ｚｔａｒｇｅｔで拡大表示される。従って、５回の電子ズーム処理（４回の第２電子ズーム処理と１回の第１電子ズーム処理）で、言い換えると５フレーム目で、総ズーム段数＝１０のフレーミング領域における第２スルー画像の拡大表示が完了する。
【００３６】
これにより、隣接するフレームで表示部９０に表示される画像における被写体の変化量を抑えて、継続的な顔領域の特定（追尾）を確保しながら、迅速にフレーミング領域における第２スルー画像の拡大表示（第１電子ズーム制御）を行うことが可能になる。
【００３７】
次に、レリーズボタン１３を半押しした場合における測距動作などの手順について、図６のフローチャートを用いて説明する。なお、顔検出は、並行して行われており、顔検出の結果、顔が認識された場合には、顔であると認識された顔領域を示す第１枠Ｆ１、及びフレーミング領域を示す第２枠Ｆ２が第１スルー画像上に表示される。
【００３８】
レリーズボタン１３が半押しされると、ステップＳ１１で、撮像装置１がベストフレーミングモードに設定されているか否かが判断される。ベストフレーミングモードに設定されている場合はステップＳ１２に進められ、そうでない場合はステップＳ１５に進められる。ステップＳ１２で、並行して行われている顔検出において、顔領域があったか否かが判断される。顔領域があった場合には、ステップＳ１３に進められ、そうでない場合はステップＳ１５に進められる。
【００３９】
ステップＳ１３で、レリーズボタン１３の半押し時の第１スルー画像の第１ズーム段数Ｚｉｎｉｔｉａｌと、フレーム領域における第２スルー画像を拡大表示するための第２ズーム段数Ｚｔａｒｇｅｔとの差異として、総ズーム段数が算出される。
【００４０】
ステップＳ１４で、ステップＳ１３で算出された総ズーム段数などに基づいて、フレーミング領域における第２スルー画像の拡大表示動作（電子ズーム処理）が段階的に行われる。電子ズーム処理手順の詳細については、図７のフローチャートを用いて後述する。ステップＳ１５で、拡大表示された第２スルー画像について、顔領域の露出やピントが最適になるように、制御部３０による露出制御やレンズ駆動部４５による合焦動作が行われる。
【００４１】
次に、ステップ１４で行われる電子ズーム処理手順について図７のフローチャートを用いて説明する。ステップＳ３１で、ステップＳ１３で算出された総ズーム段数と、顔検出で特定された顔の大きさなどに基づいて、ズーム段数Δｚが算出される。
【００４２】
ステップＳ３２で、現在表示部９０に表示されているスルー画像のズーム段数が、ズーム段数パラメータＺｃｕｒの値に設定される。例えば、第１スルー画像が表示部９０に表示されている場合には、ズーム段数パラメータＺｃｕｒには、第１ズーム段数Ｚｉｎｉｔｉａｌが設定される。中間スルー画像が表示部９０に拡大表示されている場合には、ズーム段数パラメータＺｃｕｒには、表示中の中間スルー画像に対応するズーム段数が設定される。第２スルー画像が表示部９０に拡大表示されている場合には、ズーム段数パラメータＺｃｕｒには、第２ズーム段数Ｚｔａｒｇｅｔが設定される。
【００４３】
ステップＳ３３で、第２ズーム段数Ｚｔａｒｇｅｔが、ズーム段数パラメータＺｃｕｒ以下であるか否かが判断される。かかる条件を満たす場合には、フレーミング領域における第２スルー画像が拡大表示された状態、すなわち第１電子ズーム制御が完了した状態であり、該電子ズーム処理を終了する。かかる条件を満たさない場合は、第１スルー画像の表示または中間スルー画像の拡大表示が行われている状態であり、ステップＳ３４に進められる。
【００４４】
ステップＳ３４で、ズーム段数パラメータＺｃｕｒにズーム段数Δｚを加えた値が、第２ズーム段数Ｚｔａｒｇｅｔを超えるか否かが判断される。かかる条件を満たす場合には、ステップＳ３５に進められ、満たさない場合は、ステップＳ３６に進められる。
【００４５】
ステップＳ３５で、ズーム段数Δｚの値が、第２ズーム段数Ｚｔａｒｇｅｔとズーム段数パラメータＺｃｕｒの差異に設定される。ステップＳ３６で、電子ズーム処理が１回行われ、ステップＳ３２に戻される。すなわち、現在表示されているスルー画像の表示領域に対して、ズーム段数Δｚだけ小さくなった領域における中間スルー画像（またはフレーミング領域における第２スルー画像）が拡大表示され、ステップＳ３２に戻される。
【図面の簡単な説明】
【００４６】
【図１】本実施形態における撮像装置の構成図である。
【図２】第１スルー画像が表示された状態の表示部を示す図である。
【図３】第２スルー画像が拡大表示された状態の表示部を示す図である。
【図４】中間スルー画像が拡大表示された状態の表示部を示す図である。
【図５】顔領域における画像が拡大表示された状態の表示部を示す図である。
【図６】レリーズボタンを半押しした場合における測距動作などの手順を示すフローチャートである。
【図７】電子ズーム処理手順を示すフローチャートである。
【符号の説明】
【００４７】
１  撮像装置
１０  操作部
１３  レリーズボタン
３０  制御部
４５  レンズ駆動部
４７  露出制御部
５１  レンズ
５３  撮像素子
５５  ＡＦＥ
６０  ＤＳＰ
６３  顔検出部
６５  電子ズーム部
７０  記録部
９０  表示部
【図１】
2010045625.tif 000003
【図２】
2010045625.tif 000004
【図３】
2010045625.tif 000005
【図４】
2010045625.tif 000006
【図５】
2010045625.tif 000007
【図６】
2010045625.tif 000008
【図７】
2010045625.tif 000009